(57)【要約】【課題】多様なＱｏＳ要件及び多様なチャンネル条件を支援する転送方法及び装置を提供する。【解決手段】データサブパケット転送をスタガリングし、転送に用いられる離散トーンをパーティショニングすることによって、使用者に様々な多重接続技法を提供する。本発明は、ＡＲＱを使用する移動通信システムにおいてそれぞれ複数のサブパケットを含む第１データパケット及び第２データパケットをそれぞれ第１端末及び第２端末に提供する方法を提供する。【選択図】図２１
2009543379.tif 000002
【特許請求の範囲】
【請求項１】
ＡＲＱを使用する移動通信システムにおいてそれぞれ複数のサブパケットを含む第１データパケット及び第２データパケットをそれぞれ第１端末及び第２端末に提供する方法であって、
前記第１データパケットを前記第１端末に転送する段階と、
前記第２データパケットを前記第２端末に転送する段階と、
を含み、
前記第１データパケットの複数のサブパケットを全て送信する前にＡＣＫが受信された場合、前記第２データパケットの複数のサブパケットのうち少なくとも一つは転送される状態に残っているように、前記第２データパケットの１番目のサブパケットが前記第１データパケットの１番目のサブパケットよりも遅延されることを特徴とする、データパケット提供方法。
【請求項２】
前記第１データパケットの複数のサブパケット及び前記第２データパケットの複数のサブパケットは、スロット転送方式によって少なくとも一つの未使用転送スロットが第１及び第２データパケットのそれぞれの複数のサブパケットで各サブパケットの間に存在するように転送されることを特徴とする、請求項１に記載のデータパケット提供方法。
【請求項３】
前記第１データパケットの複数のサブパケットはそれぞれ、前記第２データパケットの複数のサブパケットのうち対応するサブパケットと略同時に転送されることを特徴とする、請求項２に記載のデータパケット提供方法。
【請求項４】
前記移動通信システムは、ＭＣ−ＣＤＭＡを含むことを特徴とする、請求項１に記載のデータパケット提供方法。
【請求項５】
信号転送のために離散トーン（ｄｉｓｃｒｅｔｅ  ｔｏｎｅｓ）を使用する多重接続移動通信システムにおいて複数の使用者に複数の多重接続技法を提供する方法であって、
前記複数の多重接続技法を定義（ｄｅｆｉｎｉｎｇ）する段階と、
前記複数の使用者に対する通信要件を決定する段階と、
前記複数の使用者のそれぞれに前記複数の定義された多重接続技法のうちの一つを割り当てる段階と、
前記複数の使用者の数、前記複数の使用者のそれぞれの電力要件、前記複数の使用者のそれぞれに対する音声通話率要件及び前記移動通信システムのアンテナ数のうち少なくとも一つによって前記離散トーンを時間領域で前記複数の使用者にパーティショニング（ｐａｒｔｉｔｉｏｎｉｎｇ）する段階と、
を含む、多重接続技法提供方法。
【請求項６】
前記パーティショニングは、複数の基地局及びセルセクターのうち少なくとも一つで同期されたことを特徴とする、請求項５に記載の多重接続技法提供方法。
【請求項７】
前記パーティショニングに関する指示情報を周期的にまたは前記パーティショニングが変更された場合に放送メッセージを通じて前記複数の使用者に提供することをさらに含むことを特徴とする、請求項５に記載の多重接続技法提供方法。
【請求項８】
前記複数の技法は、ＭＣ−ＣＤＭＡを含み、ＭＣ−ＣＤＭＡに割り当てられた前記複数の使用者の数によって拡散コード長を異ならせることをさらに含むことを特徴とする、請求項５に記載の多重接続技法提供方法。
【請求項９】
ＡＲＱが支援され、前記複数の使用者のうち少なくとも一つの使用者に対する第１データパケットの１番目のサブパケット転送を、前記複数の使用者のうち少なくとも一つの第２使用者に対するデータパケットの第２サブパケットの１番目のサブパケットに対して相対的に遅延させることによって、前記離散トーンを時間領域でパーティショニングする段階をさらに含むことを特徴とする、請求項５に記載の多重接続技法提供方法。
【請求項１０】
移動通信システムにおいて端末に制御情報を提供する方法であって、
複数の連続（ｃｏｎｓｅｃｕｔｉｖｅ）フィールドを含む制御メッセージを前記端末に転送する段階を含み、
前記複数の連続フィールドがそれぞれの連続フィールドを含むか否かは、少なくとも一つの値及び複数の連続フィールドに少なくとも一つの先行する連続フィールドが含まれたかに依存することによって、前記複数の連続フィールドから第１連続フィールドを抽出することによって前記複数の連続フィールドから少なくとも一つの第２連続フィールドを抽出するようにし、前記メッセージの長さを減少させることを特徴とする、制御情報の提供方法。
【請求項１１】
前記メッセージは、ＴＣＡメッセージであることを特徴とする、請求項１０に記載の制御情報の提供方法。
【請求項１２】
前記複数の連続フィールドは、ＮｕｍＵｎｉｑｕｅＴｒａｆｆｉｃＭＡＣＩｎｄｅｘｅｓ、ＳｃｈｅｄｕｌｅｒＴａｇ、ＡｕｘＤＲＣＣｏｖｅｒＩｎｃｌｕｄｅｄ、及びＡｕｘＤＲＣＣｏｖｅｒのうち少なくとも２つを含むことを特徴とする、請求項１１に記載の制御情報の提供方法。
【請求項１３】
前記ＴＣＡメッセージは、ＳｅｃｔｏｒＩｎＴｈｉｓＦｒｅｑｕｅｎｃｙＩｎｃｌｕｄｅｄ、ＰｉｌｏｔＣａｒｒｉｅｓＰｉｌｏｔＣｈａｎｎｅｌ、ＧｒｏｕｐＩＤ、ＮｕｍＵｎｉｑｕｅＴｒａｆｆｉｃＭＡＣＩｎｄｅｘｅｓ、ＳｃｈｅｄｕｌｅｒＴａｇ、ＡｕｘＤＲＣＣｏｖｅｒＩｎｃｌｕｄｅｄ、及びＡｕｘＤＲＣＣｏｖｅｒを含むことを特徴とする、請求項１２に記載の制御情報の提供方法。
【請求項１４】
複数の連続フィールドを含む制御メッセージを受信する送／受信ユニットと、
使用者インターフェース情報をディスプレイするディスプレイユニットと、
使用者データを入力する入力ユニットと、
前記複数の連続フィールドから第１連続フィールドが抽出されたと判断された場合、前記複数の連続フィールドで少なくとも一つの第２連続フィールドが処理されないように前記制御メッセージを処理するプロセシングユニットと、
を含む、移動端末。
【請求項１５】
前記メッセージは、ＴＣＡメッセージであることを特徴とする、請求項１４に記載の移動端末。
【請求項１６】
前記複数の連続フィールドは、ＮｕｍＵｎｉｑｕｅＴｒａｆｆｉｃＭＡＣＩｎｄｅｘｅｓ、ＳｃｈｅｄｕｌｅｒＴａｇ、ＡｕｘＤＲＣＣｏｖｅｒＩｎｃｌｕｄｅｄ及びＡｕｘＤＲＣＣｏｖｅｒのうち少なくとも２つを含むことを特徴とする、請求項１４に記載の方法。
【請求項１７】
ＴＣＡメッセージは、ＳｅｃｔｏｒＩｎＴｈｉｓＦｒｅｑｕｅｎｃｙＩｎｃｌｕｄｅｄ、ＰｉｌｏｔＣａｒｒｉｅｓＰｉｌｏｔＣｈａｎｎｅｌ、ＧｒｏｕｐＩＤ、ＮｕｍＵｎｉｑｕｅＴｒａｆｆｉｃＭＡＣＩｎｄｅｘｅｓ、ＳｃｈｅｄｕｌｅｒＴａｇ、ＡｕｘＤＲＣＣｏｖｅｒＩｎｃｌｕｄｅｄ及びＡｕｘＤＲＣＣｏｖｅｒを含むことを特徴とする、請求項１６に記載の方法。
【請求項１８】
移動通信システムでそれぞれ異なるセルにサービスを提供する複数の基地局と通信中にある端末に、少なくとも一つのデータパケットを提供する方法であって、
複数の基地局のうちの一つをサービス提供基地局として識別する制御メッセージを前記複数の基地局のそれぞれに転送する段階と、
前記少なくとも一つのデータパケットを前記識別された基地局からのみ受信する段階と、
を含む、データパケット提供方法。
【請求項１９】
前記少なくとも一つのデータパケットはそれぞれ複数のサブパケットを含み、前記少なくとも一つのデータパケットの複数のサブパケットを前記識別された基地局からのみ受信する段階をさらに含むことを特徴とする、請求項１８に記載のデータパケット提供方法。
【請求項２０】
前記少なくとも一つのデータパケットのうち、第１データパケットの複数のサブパケットの最初のものを受信した以降に、前記複数の基地局のうちの一つをサービス提供基地局として識別する制御メッセージを前記複数の基地局のそれぞれに転送し、
前記少なくとも一つのデータパケットのうち、第１データパケットの複数のサブパケットの残りのそれぞれを、前記複数のサブパケットの最初のものを送信した基地局からのみ受信する段階と、
前記少なくとも一つのデータパケットのうち、第２データパケットの複数のサブパケットのそれぞれを、複数の基地局のうち識別された他の基地局からのみ受信する段階をさらに含むことを特徴とする、請求項１９に記載のデータパケット提供方法。
【請求項２１】
前記移動通信システムは、ＨＲＰＤシステムであることを特徴とする、請求項１８に記載のデータパケット提供方法。
【請求項２２】
前記制御メッセージは、ＤＲＣ  ｃｏｖｅｒメッセージであることを特徴とする、請求項１８に記載のデータパケット提供方法。
【請求項２３】
それぞれ異なるセルにサービスを提供する複数の基地局と通信中にある移動通信端末に、少なくとも一つのデータパケットを提供する方法であって、
前記少なくとも一つのデータパケットをネットワークから受信する段階と、
複数の基地局のうちの一つをサービス提供基地局に識別する識別情報を含む制御メッセージを受信する段階と、
前記制御メッセージ内の前記識別情報が内部識別情報と一致する場合にのみ前記少なくとも一つのデータパケットを転送する段階と、
を含む、データパケット提供方法。
【請求項２４】
前記制御メッセージ内の識別情報が前記内部識別情報と一致しないと、前記少なくとも一つのデータパケットを転送せずに削除する段階をさらに含むことを特徴とする、請求項２３に記載のデータパケット提供方法。
【請求項２５】
前記少なくとも一つのデータパケットはそれぞれ複数のサブパケットを含み、前記制御メッセージ内の識別情報が内部識別情報と一致する場合にのみ前記少なくとも一つのデータパケットの複数のサブパケットをそれぞれ転送する段階をさらに含むことを特徴とする、請求項２３に記載のデータパケット転送方法。
【請求項２６】
前記内部識別情報と一致しない識別情報を含む制御メッセージが、前記少なくとも一つのデータパケットのうち第１データパケットの複数のサブパケットの最初のものを転送した以降に受信され、
前記少なくとも一つのデータパケットのうち第１データパケットの複数のサブパケットの残りをそれぞれ転送する段階と、
前記少なくとも一つのデータパケットのうち第２データパケットを前記ネットワークから受信する段階と、
前記少なくとも一つのデータパケットのうち第２データパケットの複数のサブパケットのそれぞれを転送せずに削除する段階と、
をさらに含むことを特徴とする、請求項２５に記載のデータパケット転送方法。
【請求項２７】
前記移動通信システムは、ＨＲＰＤシステムであることを特徴とする、請求項２３に記載のデータパケット転送方法。
【請求項２８】
前記制御メッセージは、ＤＲＣ  ｃｏｖｅｒメッセージであることを特徴とする、請求項２３に記載のデータパケット転送方法。
【請求項２９】
前記少なくとも一つのデータパケットは、基地局制御器で受信することを特徴とする、請求項２３に記載のデータパケット転送方法。
【発明の詳細な説明】
【技術分野】
【０００１】
本発明は多様なＱｏＳ及び多様なチャンネル条件を支援する転送方法及び装置に関するものである。具体的に、本発明は、ＯＦＤＭ、ＯＦＤＭＡ、単一搬送波ＦＤＭＡ及び／またはＭＣ−ＣＤＭＡまたは離散トーン（ｄｉｓｃｒｅｔｅ  ｔｏｎｅｓ）または正弦波を基本転送モードとして用いる任意のシステムの組合せに基づいた多重使用者支援セルラー通信システムの多重接続設計に関する。
【背景技術】
【０００２】
セルラー及び情報通信業界で当業者は普通、１Ｇ、２Ｇ及び３Ｇという用語を使用する。これらの用語は、使われたセルラーと技術の世代を指す。１Ｇは１世代、２Ｇは２世代、３Ｇは３世代を指す。
【０００３】
１Ｇは、ＡＭＰＳ（Ａｄｖａｎｃｅｄ  Ｍｏｂｉｌｅ  Ｐｈｏｎｅ  Ｓｅｒｖｉｃｅ）電話システムと知られたアナログ電話システムを指す。２Ｇは、一般的に全世界で広く使われているデジタルセルラーシステムを指し、ＣＤＭＡＯｎｅ、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、及びＴＤＭＡ（Ｔｉｍｅ  Ｄｉｖｉｓｉｏｎ  Ｍｕｌｔｉｐｌｅ  Ａｃｃｅｓｓ）を含む。２Ｇシステムは、密集地域で１Ｇシステムに比べてより多くの使用者を支援することができる。
【０００４】
３Ｇは、一般的に現在使用されているデジタルセルラーシステムを指す。３Ｇ通信システムは若干の重要差異点を除けば概念的に互いに似ている。
【０００５】
図１に、無線通信網構造１を示す。加入者（ｓｕｂｓｃｒｉｂｅｒ）は、ネットワークサービスに接続するために移動端末（ＭＳ）２を使用する。ＭＳ  ２は、セルラーホンのように持ち歩ける携帯用通信端末、車両に設置された通信端末、または、固定された地域通信端末でありうる。
【０００６】
ノードＢとも知られた基地局トランシーバーシステム（Ｂａｓｅ  Ｔｒａｎｓｃｅｉｖｅｒ  Ｓｙｓｔｅｍ：ＢＴＳ）３は、ＭＳ  ２に電磁気波を転送する。ＢＴＳ  ３はアンテナ及び無線波を転送及び受信するための装置のような無線機器で構成されることができる。基地局（Ｂａｓｅ  Ｓｔａｔｉｏｎ：ＢＳ）６及び制御器（Ｂａｓｅ  Ｓｔａｔｉｏｎ  Ｃｏｎｔｒｏｌｌｅｒ：ＢＳＣ）４は、一つ以上のＢＴＳから転送を受信する。ＢＳＣ  ４は、ＢＴＳ及び移動交換センター（Ｍｏｂｉｌｅ  Ｓｗｉｔｃｈｉｎｇ  Ｃｅｎｔｅｒ：ＭＳＣ）５または内部ＩＰネットワークとメッセージを交換することによって、各ＢＴＳ  ３からの無線転送を制御して管理する。ＢＴＳ  ３及びＢＳＣ  ４は、ＢＳ  ６の一部である。
【０００７】
ＢＳ  ６は、回線交換基幹網（Ｃｉｒｃｕｉｔ  Ｓｗｉｔｃｈｅｄ−Ｃｏｒｅ  Ｎｅｔｗｏｒｋ：ＣＳＣＮ）７及びパケット交換基幹網（Ｐａｃｋｅｔ  Ｓｗｉｔｃｈｅｄ  Ｃｏｒｅ  Ｎｅｔｗｏｒｋ：ＰＳＣＮ）８とメッセージを交換しつつデータを転送する。ＣＳＣＮ  ７は通常の音声通信を提供し、ＰＳＣＮ  ８はインターネットアプリケーション及びマルチメディアサービスを提供する。
【０００８】
ＣＳＣＮ  ７の一構成要素である移動交換センター（ＭＳＣ）５は、通常の音声通信をＭＳ  ２に提供したり受信し、このような機能を支援するための情報を保存することができる。ＭＳＣ  ２は、他の公用ネットワーク（例えば、公用交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）（図示せず）または統合サービスデジタル網（Ｉｎｔｅｇｒａｔｅｄ  Ｓｅｒｖｉｃｅ  Ｄｉｇｉｔａｌ  Ｎｅｔｗｏｒｋ：ＩＳＤＮ））のような一つ以上のＢＳ  ６と連結されることができる。訪問者位置登録器（Ｖｉｓｉｔｏｒ  Ｌｏｃａｔｉｏｎ  Ｒｅｇｉｓｔｅｒ：ＶＬＲ）９は、訪問加入者との音声通信を制御するための情報を取り込むのに用いられる。ＶＬＲ  ９は、ＭＳＣ  ５内に位置し、一つ以上のＭＳＣを支援することができる。
【０００９】
使用者識別子は、加入者情報などを記録するためにＣＳＣＮ  ７のホーム位置登録器（Ｈｏｍｅ  Ｌｏｃａｔｉｏｎ  Ｒｅｇｉｓｔｅｒ：ＨＬＲ）に割り当てられる。この時、加入者情報は、電子シリアル番号（Ｅｌｅｃｔｒｏｎｉｃ  Ｓｅｒｉａｌ  Ｎｕｍｂｅｒ：ＥＳＮ）、移動資料番号（ＭＤＮ：Ｍｏｂｉｌｅ  Ｄｉｒｅｃｔｏｒｙ  Ｎｕｍｂｅｒ）、プロフィール情報、現在位置及び認証期間などを含む。認証センター（ＡＣ：Ａｕｔｈｅｎｔｉｃａｔｉｏｎ  Ｃｅｎｔｅｒ）１１は、ＭＳ  ２に関連した認証情報を管理する。ＡＣ  １１は、ＨＬＲ  １０内に位置し、一つ以上のＨＬＲを支援することができる。ＭＳＣ  ５及びＨＬＲ  １０／ＡＣ  １１間のインターフェース（Ｉｎｔｅｒｆａｃｅ）は、ＩＳ−４１標準インターフェース１８である。
【００１０】
ＰＳＣＮ  ８の一部であるパケットデータサービングノード（ＰＤＳＮ：Ｐａｃｋｅｔ  Ｄａｔａ  Ｓｅｒｖｉｎｇ  Ｎｏｄｅ）１２は、ＭＳ  ２とのパケットデータトラフィックのための経路設定（ｒｏｕｔｉｎｇ）を行う。ＰＤＳＮ  １２は、ＭＳ  ２にリンク階層セッションを確立（ｅｓｔａｂｌｉｓｈ）、維持及び終了し、一つ以上のＢＳ  ６及び一つ以上のＰＳＣＮ  ８とインターフェースを行うことができる。
【００１１】
ＡＡＡサーバー（Ａｕｔｈｅｎｔｉｃａｔｉｏｎ  Ａｕｔｈｏｒｉｚａｔｉｏｎ  ａｎｄＡｃｃｏｕｎｔｉｎｇ  ｓｅｒｖｅｒ）１３は、パケットデータトラフィックと関連したインターネットプロトコルの確認、認証及び課金機能を提供する。ホームエージェント（ＨＡ：Ｈｏｍｅ  Ａｇｅｎｔ）１４は、ＭＳ  ２のＩＰ登録を確認し、ＰＤＳＮ  ８の一構成である外部エージェント（ＦＡ：Ｆｏｒｅｉｇｎ  Ａｇｅｎｔ）１５とのパケットデータの経路を再指定（ｒｅｄｉｒｅｃｔ）し、ＡＡＡ  １３から使用者に関する情報を受ける。また、ＨＡ  １４は、ＰＤＳＮ  １２に対する保安通信を確率、維持及び終了し、動的ＩＰアドレスを割り当てる。ＰＤＳＮ  １２は、内部ＩＰネットワークを介してＡＡＡ  １３、ＨＡ  １４及びインターネット（ｉｎｔｅｒｎｅｔ）１６と通信を行う。
【００１２】
多重接続方式には様々なものがある。例えば、周波数分割多重接続（ＦＤＭＡ：Ｆｒｅｑｕｅｎｃｙ  Ｄｉｖｉｓｉｏｎ  Ｍｕｌｔｉｐｌｅ  Ａｃｃｅｓｓ）方式、時間分割多重接続（ＴＤＭＡ：Ｔｉｍｅ  Ｄｉｖｉｓｉｏｎ  Ｍｕｌｔｉｐｌｅ  Ａｃｃｅｓｓ）方式及びコード分割多重接続（ＣＤＭＡ：Ｃｏｄｅ  Ｄｉｖｉｓｉｏｎ  Ｍｕｌｔｉｐｌｅ  Ａｃｃｅｓｓ）方式などがある。ＦＤＭＡ方式では、使用者通信は周波数、例えば、３０ＫＨｚチャンネルを使用することによって区分される。ＴＤＭＡ方式で、使用者通信は、時間及び周波数、例えば６個のタイムスロットを持つ３０ＫＨｚチャンネルを用いることによって区分される。ＣＤＭＡ方式で、使用者通信はデジタルコードによって区分される。
【００１３】
ＣＤＭＡ方式で、全ての使用者は１．２５ＭＨｚの同じスペクトラムを有する。それぞれの使用者は、固有のデジタルコード識別子を有し、デジタルコード識別子は干渉を防ぐために使用者を区分する。
【００１４】
ＣＤＭＡ信号は、単一ビット情報を伝達するために多くのチップ（ｃｈｉｐｓ）を使用する。それぞれの使用者はコードチャンネルに必須な固有のチップパターン（ｃｈｉｐ  ｐａｔｔｅｒｎ）を有する。ビットを復元するために、数多くのチップを使用者の知っているチップパターンによって総合する。他の使用者のコードパターンは無作為に現れ、自己削除方法（ｓｅｌｆ−ｃａｎｃｅｌｉｎｇ）で総合されることによって、使用者の適切なコードパターンによるビット復号化決定が妨げられない。
【００１５】
入力データは、高速拡散シーケンスで結合され、拡散データストリームとして転送される。受信機は元来のデータを抽出するために同じ拡散シーケンスを用いる。図２Ａは、拡散及び逆拡散プロセスを示す。図２Ｂは、固有（ｕｎｉｑｕｅ）で堅固（ｒｏｂｕｓｔ）なチャンネルを生成するために多重拡散シーケンスを結合する過程を示す。
【００１６】
ウォルシュコード（Ｗａｌｓｈ  Ｃｏｄｅ）は、拡散シーケンスの一種である。それぞれのウォルシュコードは６４チップ長を有し、相異なるウォルシュコードはいずれも正確に直交する。ウォルシュコードは生成しやすく、ＲＯＭ（Ｒｅａｄ  Ｏｎｌｙ  Ｍｅｍｏｒｙ）に保存できる程度に小さい。
【００１７】
ショートＰＮコードは、他の種類の拡散シーケンスである。ショートＰＮコードは、二つのＰＮシーケンス（Ｉ及びＱ）で構成され、それぞれのＰＮシーケンスは３２、７６８チップ長であり、類似に生成されるが、１５ビットシフトレジスタ（ｓｈｉｆｔ  ｒｅｇｉｓｔｅｒ）程度異なって入力される。二つのＰＮシーケンスはＩ及びＱ位相チャンネル上の情報をスクランブルする。
【００１８】
ロングＰＮコードは、さらに他の種類の拡散シーケンスである。ロングＰＮコードは４２ビットレジスタで生成され、４０日以上の長さまたは略４×１０１３チップ長を持つ。ロングＰＮコードの長さから、ロングＰＮコードは端末でＲＯＭに保存されられないので、チップバイチップ（ｃｈｉｐ  ｂｙ  ｃｈｉｐ）で生成される。
【００１９】
それぞれのＭＳ  ２は、ロングＰＮコード及び固有のオフセットまたは公用ロングコードマスクを用いて符号化し、システムにより設定された３２ビット及び１０ビットの三つのロングＰＮコードを用いて計算する。公用のロングコードマスクは固有遷移を生成する。個別のロングコードマスクはプライバシー（ｐｒｉｖａｃｙ）を向上させるために用いられる。６４チップ期間程度の短い長さを合わせる場合、相異なるロングＰＮコードオフセットを使用するＭＳ  ２は実際に直交で現れる。
【００２０】
ＣＤＭＡ通信は、順方向チャンネル及び逆方向チャンネルを使用する。順方向チャンネルは、ＢＴＳ  ３からＭＳ  ２に信号を転送するために用いられ、逆方向チャンネルはＭＳからＢＴＳに信号を転送するために用いられる。
【００２１】
順方向チャンネルは、一つの使用者が同時に多重チャンネルタイプを持つことができるように、順方向チャンネルに割り当てられた特定ウォルシュコード及びセクターに対する特定ＰＮオフセットを使用する。順方向チャンネルは、ＣＤＭＡ  ＲＦ搬送波周波数、セクターの固有ショートコードＰＮオフセット（ｕｎｉｑｕｅ  ｓｈｏｒｔ  ｃｏｄｅ  ＰＮ  ｏｆｆｓｅｔ）及び使用者の固有ウォルシュコードにより識別される。ＣＤＭＡ順方向チャンネルは、パイロットチャンネル、同期チャンネル、ページングチャンネル及びトラフィックチャンネルを含む。
【００２２】
パイロットチャンネルは、キャラクターストリーム（ｃｈａｒａｃｔｅｒ  ｓｔｒｅａｍ）を含まない“構造的ビーコン（ｓｔｒｕｃｔｕｒａｌ  ｂｅａｃｏｎ）”であり、ハンドオフ（ｈａｎｄｏｆｆ）時に測定手段及びシステム獲得に用いられるタイミングシーケンスである。パイロットチャンネルは、ウォルシュコード０を使用する。
【００２３】
同期チャンネルは、システム獲得時にＭＳ  ２により用いられるパラメータ情報とシステム識別を持つデータストリームを転送する。同期チャンネルはウォルシュコード３２を使用する。
【００２４】
性能要請によって１〜７個のページングチャンネルが存在することができる。ページングチャンネルは、ページ、システムパラメータ情報及び呼設定命令を伝達する。ページングチャンネルはウォルシュコード１〜７を使用する。
【００２５】
トラフィックチャンネルは、呼トラフィックを伝達するために個別使用者に割り当てられる。トラフィックチャンネルは、雑音で制限された全体容量に従って残ったウォルシュコードを使用する。
【００２６】
逆方向チャンネルは、ＭＳ  ２からＢＴＳ  ３に信号を伝達するために用いられ、一つの使用者が同時に多重タイプのチャンネルを転送できるようにウォルシュコード及びＭＳに特定されたロングＰＮシーケンスのオフセットを使用する。逆方向チャンネルは、ＣＤＭＡ  ＲＦ搬送波周波数及び個別ＭＳ  ２の固有ロングコードＰＮオフセットにより識別される。逆方向チャンネルはトラフィックチャンネル及び接続チャンネルを含む。
【００２７】
個別使用者はＢＴＳ  ３にトラフィックを転送するために実際呼（ｃａｌｌ）時間の間にトラフィックチャンネルを使用する。逆方向トラフィックチャンネルは基本的に使用者特定公用または個人ロングコードマスクであり、ＣＤＭＡ端末だけの逆方向トラフィックチャンネルが存在する。
【００２８】
呼が設定されないＭＳ  ２は、登録要請、呼設定要請、ページ応答、命令応答及び他のシグナリング情報を転送するために接続チャンネルを使用する。接続チャンネルは基本的にＢＴＳ  ３セクターに固有な公用ロングコードオフセットである。接続チャンネルは、ページングチャンネルと対になっており、各ページングチャンネルは３２個以下の接続チャンネルを含む。
【００２９】
ＣＤＭＡ通信は多くの利点を提供する。その例には、多様なレートボコーディング（ｒａｔｅ  ｖｏｃｏｄｉｎｇ）及び多重化（ｍｕｌｔｉｐｌｅｘｉｎｇ）、順方向電力制御、レイク（ＲＡＫＥ）受信機使用及びソフトハンドオフなどが挙げられる。
【００３０】
ＣＤＭＡは、音声（ｓｐｅｅｃｈ）を圧縮するために可変レートボコーダを使用するようにし、ビット率（ｂｉｔ  ｒａｔｅ）を減少させ、容量を大きく増加させることができる。可変レートボコーディングは会話中に最大ビット率を提供し、会話を止める時には低いビット率を提供することによって、容量を増加させ、自然な声を提供する。多重化は、音声、信号及び使用者の副次的データをＣＤＭＡフレームに混合させることができる。
【００３１】
順方向電力制御を使用することによって、ＢＴＳ  ３は、持続して各使用者の順方向基底帯域チップストリームの強度を減らすことができる。例えば、特定ＭＳ  ２が順方向リンク上で誤りを経験する場合、より多くの電力を要求し、電力が再び減少した後に速いエネルギー浮揚（ｂｏｏｓｔ）を提供する。
【００３２】
逆方向電力制御は、３つの方法をタンデム（ｔａｎｄｅｍ）に用いてＢＴＳ  ３で全ての端末信号レベルを等化させる。逆方向開ループ電力制御では、受信したＢＴＳ  ３信号（ＡＧＣ）に基づいてＭＳ  ２が電力を高くまたは低く調節する。逆方向閉ループ電力制御は、ＢＴＳ  ３が秒当たり８００回の速度で電力を１ｄｂ高くまたは低く調節する。逆方向外部ループ電力制御は、ＢＳＣ  ４がＭＳ  ２を受信する間に順方向エラー訂正（ＦＥＲ）問題を持つ場合、ＢＳＣがＢＴＳ  ３のセットポイントを調節する。図３に、上記の３つの逆方向電力制御方法を示す。
【００３３】
ＭＳ  ２送信機（ＴＸＰＯ）の実際ＲＦ電力出力（受信機ＡＧＣの開ループ電力制御及びＢＴＳ  ３による閉ループ電力制御の結合効果を含む）は、一般的に＋２３ｄｂｍであるＭＳの最大電力を超過することができない。逆方向電力制御は、数式“ＴＸＰＯ  ＝  −（ＲＸｄｂｍ）  -  Ｃ  ＋  ＴＸＧＡ”によって行われ、ここで、“ＴＸＧＡ”は呼が開始された後にＢＴＳ  ３由来の全ての閉ループ電力制御命令の和であり、“Ｃ”は、８００ＭＨＺシステムで＋７３で、１９００ＭＨｚシステムで＋７６である。
【００３４】
レイク受信機を使用してＭＳ  ２が毎フレームごとに上記３つのトラフィックコリレータ（ｃｏｒｒｅｌａｔｏｒ）の結果、または“レイクフィンガー（ＲＡＫＥ  ｆｉｎｇｅｒ）”を結合することができる。各レイクフィンガーは、独立して特定ＰＮオフセット及びウォルシュコードを復元できる。探針（ｓｅａｒｃｈｅｒ）が持続してパイロット信号を検査することによって、各レイクフィンガーは、異なるＢＴＳ  ３の遅延された多重経路反射をターゲット（ｔａｒｇｅｔｉｎｇ）とすることができる。図４に、ＲＡＫＥ受信機の使用を示す。
【００３５】
ＭＳ  ２は、ソフトハンドオフを行うことができる。ＭＳ  ２は、持続して可能なパイロット信号を検査し、現在見える前記パイロット信号に対してＢＴＳ  ３に報告する。ＢＴＳ  ３は最大６つのセクターまで割り当て、ＭＳ  ２はそれによってＭＳのフィンガーを割り当てる。全てのメッセージはミューティング（ｍｕｔｉｎｇ）無しでディム・アンド・バースト（ｄｉｍ−ａｎｄ−ｂｕｒｓｔ）で転送される。各通信リンクの終端は使用者にハンドオフ透明性を提供し、フレームバイフレーム（ｆｒａｍｅ  ｂｙ  ｆｒａｍｅ）基盤で最適の構成を選択する。
【００３６】
ＭＳ  ２は、セット（ｓｅｔ）、特に活性セット（Ａｃｔｉｖｅ  ｓｅｔ）、候補セット（Ｃａｎｄｉｄａｔｅｓ  ｓｅｔ）、となりセット（Ｎｅｉｇｈｂｏｒｓ  ｓｅｔ）及び残余セット（Ｒｅｍａｉｎｉｎｇ  ｓｅｔ）内のパイロット信号を考慮する。前記活性セットは、実際使用中であるセクターのパイロット信号を含む。前記候補セットは、ＭＳ  ２が要請したが、ＢＴＳ  ３による転送がセットアップされていないパイロット信号を含む。前記となりセットは、前記ＢＴＳ  ３によってチェックする隣接セクターと指示されたパイロット信号を含む。前記残余セットは、前記ＢＴＳ  ３によって使用されたが、他のセットによって使用されないいすれのパイロット信号も含む。
【００３７】
となりセットまたは残余セット内のパイロット信号が第１臨界値（Ｔ＿ＡＤＤ）を超過する時、活性セットパイロット信号が第２臨界値（Ｔ＿ＤＲＯＰ）未満となる時、または、候補パイロット信号が与えられた量だけ活性セットパイロット信号を超過する度に、ＭＳ  ２はパイロット信号強度測定をＢＴＳ  ３に転送する。ＢＴＳ  ３は、要請されたハンドオフを全てセットアップしたり、要請されたハンドオフを一部だけ認証するためのスクリーニングカテゴリを適用することができる。
【００３８】
ＣＤＭＡ２０００システムは、第３世代（３Ｇ）広帯域システム、すなわち、インターネット及びイントラネット接続、マルチメディアアプリケーション（ｍｕｌｔｉｍｅｄｉａ  ａｐｐｌｉｃａｔｉｏｎ）、高速事業処理及び遠隔測定（ｔｅｌｅｍｅｔｒｙ）のようなデータ能力を促進させるためのＣＤＭＡ技術の改善されたサービス能力を使用する、向上した拡散スペクトラム無線インターフェースシステムである。ＣＤＭＡ２０００の目的は、他の３世代システムと同様に、限定された量の無線スペクトラムの制限を克服するためにネットワーク経済及び無線転送デザインを設計することにある。
【００３９】
図５は、ＣＤＭＡ２０００無線網のためのデータリンクプロトコル構造階層２０を示す。データリンクプロトコル階層２０の構造は、上位階層６０、リンク階層３０及び物理階層２１を含む。
【００４０】
上位階層６０は、データサービス副階層６１、音声サービス副階層６２及びシグナリングサービス副階層６３の３つの副階層を含む。データサービス副階層６１は、移動端末使用者の側面でいずれの形式のデータも提供し、ＩＰサービスのようなパケットデータアプリケーション、同期ファックスのような回線データアプリケーション及びＢ−ＩＳＤＮエミュレーション（ｅｍｕｌａｔｉｏｎ）サービス及びＳＭＳを提供する。音声サービス６２は、ＰＳＴＮ接続を含み、端末対端末の音声サービス及びインターネット電話を提供する。シグナリングサービス６３は、端末動作の全ての側面を制御する。
【００４１】
シグナリングサービス副階層６３は、ＭＳ  ２とＢＳ  ６間の全てのメッセージ交換を処理する。これらのメッセージは、呼設定及び解除、ハンドオフ、場面活性（ｆｅａｔｕｒｅ  ａｃｔｉｖａｔｉｏｎ）、システム構成、登録及び認証のような機能を制御する。
【００４２】
ＭＳ  ２で、シグナリングサービス副階層６３はまた、呼処理状態、特にＭＳ  ２初期化状態、ＭＳ  ２遊休状態、システム接続状態及びトラフィックチャンネルに対するＭＳ  ２制御状態の管理を容易にする。
【００４３】
リンク階層３０は、リンク接続制御（ＬＡＣ：Ｌｉｎｋ  Ａｃｃｅｓｓ  Ｃｏｎｔｒｏｌ）副階層３２及び媒体接続制御（ＭＡＣ：Ｍｅｄｉｕｍ  Ａｃｃｅｓｓ  Ｃｏｎｔｒｏｌ）副階層３１に分けられる。リンク階層３０は、プロトコル支援及びデータ転送サービス制御メカニズムを提供し、上位階層６０から物理階層２１へ特定性能及び特性を転送するのに必要なデータをマッピング（ｍａｐ）するのに必要な機能を行う。リンク階層３０は、上位階層６０及び物理階層２１間のインターフェースといえる。
【００４４】
ＭＡＣ  ３１及びＬＡＣ  ３２副階層の分離は、広範囲な上位階層６０サービスに対する支援要求と広い遂行範囲、特に、１．２Ｋｂｐｓから２Ｍｂｐｓを超過する高効率及び低い潜在データサービスを提供しようとする要求によるものである。また、受容できるような遅延及び／またはデータＢＥＲ（Ｂｉｔ  Ｅｒｒｏｒ  Ｒａｔｅ）による制限のように、高いＱｏＳ（Ｑｕａｌｉｔｙ  ｏｆ  Ｓｅｒｖｉｃｅ）の回線及びパケットデータサービス提供の必要性及び異なるＱｏＳ要求を持つ向上したマルチメディアサービスに対する要求によるものである。
【００４５】
ＬＡＣ副階層３２は、点対点無線転送リンク４２上で信頼性あり、かつ、インシーケンス（ｉｎ−ｓｅｑｕｅｎｃｅ）伝達転送制御機能を提供するということが要求される。ＬＡＣ副階層３２は、上位階層６０エンティティ間に点対点（ｐｏｉｎｔ  ｔｏ  ｐｏｉｎｔ）通信チャンネルを管理し、広い範囲の相異なる端対端（ｅｎｄ  ｔｏ  ｅｎｄ）に信頼性あるリンク階層３０プロトコルを支援するためのフレームワーク（ｆｒａｍｅｗｏｒｋ）を提供する。
【００４６】
ＬＡＣ副階層３２は、正確なシグナリングメッセージの転送を提供する。ＬＡＣ副階層が支援する機能には、受信肯定確認が要求される所で保証された伝達、受信肯定確認が要求されない所で保証されなかった伝達、重複メッセージ検出、個別ＭＳ  ２へのメッセージ伝達のためのアドレス制御、物理媒体上における転送のためにメッセージを適切なサイズの断片に分割すること、グローバルチャレンジ認証（ｇｌｏｂａｌ  ｃｈａｌｌｅｎｇｅ  ａｕｔｈｅｎｔｉｃａｔｉｏｎ）及び受信されたメッセージの有効化及び再集合などがある。
【００４７】
ＭＡＣ副階層３１は、それぞれの活性サービスに対してＱｏＳ管理性能を備えた３Ｇ無線システムの複合マルチメディア、マルチサービス性能を活性化させる。ＭＡＣ副階層３１は、パケットデータの接近制御過程を提供し、物理階層（２１）に回線データサービスを提供する。また、ＭＡＣ副階層３１は、無線システムで競争中の使用者だけでなく単一使用者からの多重サービス間の衝突制御を含む。ＭＡＣ副階層３１は、論理チャンネルと物理チャンネルのマッピングを行い、多重ソース（ｓｏｕｒｃｅ）からのデータを単一物理チャンネル上に多重化、及び信頼性の最善のレベルのために無線リンクプロトコル（ＲＬＰ）３３を使用する無線リンク階層上で合理的で信頼性ある転送を提供する。シグナリング無線バーストプロトコル（ＳＲＢＰ：Ｓｉｇｎａｌｉｎｇ  Ｒａｄｉｏ  Ｂｕｒｓｔ  Ｐｒｏｔｏｃｏｌ）３５は、シグナリングメッセージのための接続のないプロトコルを提供するエンティティである。多重化及びＱｏＳ制御３４は、競争サービスからの競争される要請などの衝突仲裁による交渉されたＱｏＳレベル、及び接続要請の適切な優先順位施行に関与する。
【００４８】
物理階層２１は、無線で転送されるデータのコーディング及び変調を行う。物理階層２１は、上位階層からのデジタルデータを調節し、移動無線チャンネル上に信頼性あるデータ転送を行う。
【００４９】
物理階層２１は、ＭＡＣ副階層３１が多重転送チャンネルで伝達した使用者データ及びシグナリングを、物理チャンネルにマッピングさせ、無線インターフェース上で情報を転送する。転送方向で、物理階層２１で行われる機能は、チャンネルコーディング、インタリービング、スクランブリング、拡散及び変調などを含む。受信方向で、受信機に伝達されたデータを復元するために前記機能が逆に行われる。
【００５０】
図６は、呼処理過程（ｃａｌｌ  ｐｒｏｃｅｓｓｉｎｇ）の概要を示す。呼処理過程は、パイロット及び同期チャンネル処理過程、ページングチャンネル処理過程、接続チャンネル処理過程及びトラフィックチャンネル処理過程を含む。
【００５１】
パイロット及び同期チャンネル処理過程は、‘ＭＳ  ２初期化状態’でパイロット及び同期チャンネルを獲得し、ＣＤＭＡシステムと同期を合わせるＭＳ  ２処理過程を指す。ページングチャンネル処理過程は、ＭＳ  ２が‘遊休状態’でＢＳ  ６からオーバーヘッド及び移動端末に向かうメッセージを受信すべく、順方向共通制御チャンネル（Ｆ−ＣＣＣＨ：Ｆｏｒｗａｒｄ  Ｃｏｍｍｏｎ  Ｃｏｎｔｒｏｌ  Ｃｈａｎｎｅｌ）またはページングチャンネルをモニタリングすることを指す。接続チャンネル処理過程は、ＭＳ  ２が‘システム接続状態’で接続チャンネルまたは向上した接続チャンネルを通じてＢＳ  ６にメッセージを転送することを指す。この時、ＢＳ  ６は常にこのようなチャンネルを聴取し、ページングチャンネルまたはＦ−ＣＣＣＨのうち一つを用いてＭＳに応答する。トラフィックチャンネル処理過程は、ＭＳ  ２とＢＳ  ６が‘トラフィックチャンネル状態がＭＳ  ２制御’である専用順方向及び逆方向トラフィックチャンネルを用いて通信を行うことを指す。前記専用順方向及び逆方向トラフィックチャンネルは、音声、データのような使用者情報を伝達する。
【００５２】
図７は、ＭＳ  ２の初期化状態を示す図である。初期化状態は、システム決定副状態、パイロットチャンネル処理状態、同期チャンネル獲得状態、タイミング変更副状態及び移動端末遊休状態を含む。
【００５３】
システム決定副状態は、ＭＳ  ２がどのシステムからサービスを獲得するかを決定する過程である。システム決定副状態過程は、アナログ対デジタル、セルラー対ＰＣＳ及びＡ搬送波対Ｂ搬送波のような決定を含む。一般的な選択過程は、システム決定副状態を制御することができる。処理過程を再修正するサービス提供者もまた、システム決定副状態を制御できる。ＭＳ  ２は、システムを決定した後に、サービス検出のためにシステム内のチャンネルを決定しなければならない。一般的にＭＳ  ２は、前記チャンネルを選択するために優先化されたチャンネルリスト（ｐｒｉｏｒｉｔｉｚｅｄ  ｃｈａｎｎｅｌ  ｌｉｓｔ）を使用する。
【００５４】
パイロットチャンネル処理過程は、ＭＳ  ２が使用可能なパイロット信号を検出することによってシステムタイミングに関連した情報を初めて得る過程である。パイロットチャンネルは情報を含んでいないが、ＭＳ  ２はパイロットチャンネルを相互関連（ｃｏｒｒｅｌａｔｉｎｇ）させることによって、端末の持つタイミングと整列させることができる。このような相互関連が成立すると、ＭＳ  ２は同期チャンネルと同期化され、そのタイミングをより細分化して同期チャンネルメッセージを読むことができる。ＭＳ  ２は失敗を宣言し、他のチャンネルまたは他のシステムのうち一つを選択するためにシステム決定副状態に戻る前に、単一パイロットチャンネルに対して１５秒まで検索できる。前記検索手続きでシステムを獲得する時間は具現によって異なり、一般化されていない。
【００５５】
ＣＤＭＡ２０００で単一チャンネル上にＯＴＤパイロット、ＳＴＳパイロット及び付加的なパイロットのような多くのパイロットチャンネルが存在することができる。システム獲得の間にＭＳ  ２はこのようなパイロットチャンネルが異なるウォルシュコードを使用するので、このようなパイロットチャンネルを探すことができなく、ＭＳ  ２は単にウォルシュコード（Ｗａｌｓｈ  ０）に対するものしか検索できない。
【００５６】
同期チャンネルメッセージは持続して同期チャンネル上で転送され、ＭＳ  ２にタイミングを細分化するための情報及びページングチャンネルを読むことのできる情報を提供する。移動端末は、ＢＳ  ６からの前記同期チャンネルメッセージでＢＳ  ６と通信が行えるか否かを決定できる情報を受信する。
【００５７】
ＣＤＭＡ２０００メッセージはＩＳ−９５  ＭＳ  ２と逆互換可能である。例えば、前記同期チャンネルメッセージの最初の１３フィールドは、ＩＳ−９５に規定されたものと同一である。ＩＳ−９５  ＭＳ  ２が同期チャンネルを獲得した場合、前記端末は、最初の１３フィールドのみを調べ、残りのフィールドを無視する。
【００５８】
新しいＣＤＭＡ２０００フィールドは前記ＩＳ−９５互換フィールド以降に生成される。新しいＣＤＭＡ２０００フィールドは、ＴＤとノン−ＴＤモードに対する拡散率１放送制御チャンネル（ＢＣＣＨ）及び拡散率３ＢＣＣＨ及びパイロットチャンネルに対するパラメータを特定する。
【００５９】
図８は、ＣＤＭＡ２０００システム接続状態を示す図である。システム接続処理過程の１番目の段階は、ＭＳ  ２が初期電力レベル及び電力段階増加のような正しい接続チャンネルパラメータを使用するかを確認するためのオーバーヘッド情報を更新する。ＭＳ  ２は、ＢＳ  ６または他のＭＳと調整（ｃｏｏｒｄｉｎａｔｉｏｎ）無しで無作為に接続チャンネルを選択して転送を始める。このようなランダム接続過程は衝突を招く恐れがある。このような衝突可能性は、スロット化された構造の使用、多重接続チャンネルの使用、無作為的な開始時刻での転送及びオーバーノード部分における混雑制御（ｃｏｎｇｅｓｔｉｏｎ  ｃｏｎｔｒｏｌ）の適用のような様々な方法を用いて減少されることができる。
【００６０】
ＭＳ  ２は、接続チャンネル上に要請または応答メッセージのいずれかを転送することができる。要請メッセージは、開始メッセージ（Ｏｒｉｇｉｎａｔｉｏｎ  ｍｅｓｓａｇｅ）のように独自的に（ａｕｔｏｎｏｍｏｕｓｌｙ）転送されるメッセージである。応答メッセージは、ＢＳ  ６から受信したメッセージに対する応答として転送されるメッセージである。例えば、ページ応答メッセージは、一般的なページメッセージまたはユニバーサルメッセージに対する応答である。
【００６１】
図９は、移動トラフィックチャンネル状態を示す。この移動トラフィックチャンネル状態は、サービス交渉（Ｓｅｒｖｉｃｅ  Ｎｅｇｏｔｉａｔｉｏｎ）、活性モード（Ａｃｔｉｖｅ  Ｍｏｄｅ）及びコントロールホールドモード（Ｃｏｎｔｒｏｌ  Ｈｏｌｄ  Ｍｏｄｅ）を含む。
【００６２】
サービス交渉は、ＭＳ  ２とＢＳ  ６が、呼の間にどんなサービスオプションを使用し、該サービスを支援するために無線チャンネルをどのように構成するかを交渉する過程である。通常、サービス交渉は、呼の初期に発生するが、必要な場合には、呼の進行中にも任意に発生することができる。
【００６３】
トラフィックチャンネル副状態で動作する間に、ＭＳ  ２は活性モードまたはコントロールホールドモードで動作可能である。活性モードで、逆方向パイロットチャンネルは活性であり、高速データを使用可能な場合、Ｒ−ＦＣＨ、Ｒ−ＤＣＣＨ、Ｒ−ＳＣＨまたはＲ−ＰＤＣＨも共に活性でありうる。コントロールホールドモードで、逆方向パイロットチャンネルのみが転送され、転送電力を減少させるために１／２または１／４のようなゲートモード（ｇａｔｅｄ  ｍｏｄｅ）で動作できる。
【００６４】
図１０は、多重化及びＱｏＳ制御副階層３４の転送機能を示す。データブロックは、同一サービスまたはシグナリングに属するデータブロックである。ＭｕｘＰＤＵは、ＭｕｘＳＤＵ及びヘッダである。このヘッダは、前記シグナリングを主または副として特定する。前記ＭｕｘＰＤＵタイプは、レートセットと前記ＭｕｘＰＤＵをどのようにパーシング（ｐａｒｓｅ）するかを決定する。前記Ｍｕｘオプションは、ＳＣＨ上でのＭｕｘＰＤＵ最大数、シングルサイズまたはダブルサイズＭｕｘＰＤＵｓ及びＭｕｘＰＤＵタイプを決定する。ＬＴＵはＣＲＣで保護された１、２、４または８ＭｕｘＰＤＵを含む。
【００６５】
多重化及びＱｏＳ制御副階層３４は、物理階層２１と時間同期の下に動作する。もし、物理階層２１が‘０’でないフレームオフセットで転送すると、多重化及びＱｏＳ制御副階層３４は、システム時間から適切なフレームオフセットで物理階層が転送するように物理階層ＳＤＵを伝達する。
【００６６】
多重化及びＱｏＳ制御副階層３４は、物理チャンネル特定サービスインターフェースプリミティブセットを用いて物理階層２１に物理階層ＳＤＵを転送する。物理階層２１は、物理チャンネル特定受信指示サービスインターフェース動作を用いて物理階層ＳＤＵを多重化及びＱｏＳ制御副階層３４に伝達する。
【００６７】
ＳＲＢＰ副階層３５は、同期チャンネル順方向共通制御チャンネル、放送制御チャンネル、ページングチャンネル及び接続チャンネル処理手順を含む。
【００６８】
ＬＡＣ副階層３２は、第３階層６０にサービスを提供する。ＳＤＵは、第３階層６０及びＬＡＣ副階層３２間で伝達される。ＬＡＣ副階層３２は、ＳＤＵをＬＡＣ  ＰＤＵに適切にカプセル化（ｅｎｃａｐｓｕｌａｔｉｏｎ）し、これは分割及び再結合されてカプセル化したＰＤＵ断片としてＭＡＣ副階層３１に伝達される。
【００６９】
ＬＡＣ副階層３２での処理過程は、処理エンティティがよく設定された順序によってお互い部分的に形成されたＬＡＣ  ＰＤＵを伝達することによって順次に行われる。上位階層は物理チャンネルの無線特性に対して認識する必要がなく、ＳＤＵ及びＰＤＵは関数的経路に沿って処理されて転送される。しかし、上位階層は物理チャンネルの特性を認識でき、第２階層３０が特定ＰＤＵの転送に特定物理チャンネルを使用するように指示することができる。
【００７０】
１ｘＥＶ−ＤＯシステムは、パケットデータサービスに対して最適化されたサービスであり、データ専用またはデータ最適化（Ｄａｔａ  Ｏｎｌｙ  ｏｒ  Ｄａｔａ  Ｏｐｔｉｍｉｚｅｄ；ＤＯ）のための単一１．２５ＭＨｚ搬送波（“１ｘ”）で特徴付けられる。なお、ピークデータ率は順方向リンクで４．９１５１２Ｍｂｐｓであり、逆方向リンクで１．８４３２Ｍｂｐｓである。また、１ｘＥＶ−ＤＯシステムは、分割された周波数バンド及び１ｘシステム相互ネットワーキング（ｉｎｔｅｒｎｅｔｗｏｒｋｉｎｇ）を提供する。
【００７１】
ＣＤＭＡ２０００は、現在音声及びデータが実際的に最大６１４．４ｋｂｐｓ及び３０７．２ｋｂｐｓのデータ率で共に転送されるサービスを提供する。ＭＳ  ２は、音声呼（ｖｏｉｃｅ  ｃａｌｌ）のためにＭＣＳ  ５と、データ呼（ｄａｔａ  ｃａｌｌ）のためにＰＤＳＮ  １２と通信を行う。ＣＤＭＡ２０００システムは、ウォルシュコードで区分された順方向転送チャンネルで可変的電力の固定されたレート（ｒａｔｅ）で特徴付けられる。
【００７２】
１ｘＥＶ−ＤＯシステムにおいて最大データ率は２．４Ｍｂｐｓまたは３．０７２Ｍｂｐｓであり、回線交換基幹網７との通信はない。１ｘＥＶ−ＤＯシステムは、固定された電力及び時分割多重化された単一順方向チャンネルの可変率（ｖａｒｉａｂｌｅ  ｒａｔｅ）で特徴付けられる。
【００７３】
図１２は、１ｘＥＶ−ＤＯシステム構造を示す。１ｘＥＶ−ＤＯシステムで１フレームは１６個のスロット（６００スロット／秒）で構成され、２６．２７ｍｓまたは３２，７６８チップ（ｃｈｉｐｓ）の区間を持つ。単一スロットは１．６６６７ｍｓ長であり、２０４８チップで構成される。制御／トラフィックチャンネルは、１スロットに１６００チップを有し、パイロットチャンネルは１スロットに１９２チップを有し、ＭＡＣチャンネルは１スロットに２５６チップを有する。１ｘＥＶ−ＤＯシステムは、チャンネル推定及び時間同期化の単純化及び高速化を促した。
【００７４】
図１３は、１ｘＥＶ−ＤＯシステムの物理階層チャンネルを示す。図１４は、１ｘＥＶ−ＤＯシステムのデフォルトプロトコル構造を示す。図１５は、１ｘＥＶ−ＤＯシステムのノン−デフォルトプロトコル構造を示す。
【００７５】
１ｘＥＶ−ＤＯシステムのセッションと関連した情報は、ＭＳ  ２（または、接続端末（ＡＴ：Ａｃｃｅｓｓ  Ｔｅｒｍｉｎａｌ））とＢＳ  ６（または、接続網（ＡＮ：Ａｃｃｅｓｓ  Ｎｅｔｗｏｒｋ））が無線リンクを通じて使用するプロトコル集合、ユニキャスト接続端末識別子（ＵＡＴＩ：Ｕｎｉｃａｓｔ  Ａｃｃｅｓｓ  Ｔｅｒｍｉｎａｌ  Ｉｄｅｎｔｉｆｉｅｒ）、当該無線リンク上でＡＴ及びＡＮにより用いられるプロトコル構造及び現在ＡＴ位置推定を含む。
【００７６】
図１６は、１ｘＥＶ−ＤＯセッションの確立を示す。図１６に示すように、セッション確立（ｓｅｓｓｉｏｎｅ  ｓｔａｂｌｉｓｈｉｎｇ）過程は、アドレス構成（ａｄｄｒｅｓｓ  ｃｏｎｆｉｇｕｒａｔｉｏｎ）、連結確立（ｃｏｎｎｅｃｔｉｏｎ  ｅｓｔａｂｌｉｓｈｍｅｎｔ）、セッション構成（ｓｅｓｓｉｏｎ  ｃｏｆｉｇｕｒａｔｉｏｎ）及びキー交換（ｋｅｙ  ｅｘｃｈａｎｇｅ）を含む。
【００７７】
アドレス構成は、ＵＡＴＩ及びサブネットマスクを割り当てるアドレス管理プロトコルを指す。連結確立は、無線リンクを設定する連結階層プロトコルを指す。セッション構成は、全てのプロトコルを構成するセッション構成プロトコルを指す。キー交換は、認証キーを設定する保安階層でのキー交換プロトコルを指す。
【００７８】
“セッション（ｓｅｓｓｉｏｎ）”は、数時間（基本として５４時間）オープンされたＡＴ  ２とＲＮＣ間の論理的通信リンクを指す。なお、セッションは、ＰＰＰセッションが活性化されるまで維持される。セッション情報は、ＡＮ  ６内のＲＮＣにより制御されて維持される。
【００７９】
連結がオープンされた場合、ＡＴ  ２に順方向トラフィックチャンネルが割り当てられることができ、逆方向トラフィックチャンネル及び逆方向電力制御チャンネルが割り当てられる。多重連結は、単一セッションの間に発生することができる。１ｘＥＶ−ＤＯシステムには２つの連結状態、すなわち、クローズド連結（ｃｌｏｓｅｄ  ｃｏｎｎｅｃｔｉｏｎ）とオープン連結（ｏｐｅｎ  ｃｏｎｎｅｎｃｔｉｏｎ）がある。
【００８０】
クローズド連結は、ＡＴ  ２にいずれの専用無線−リンク資源も割り当てられず、ＡＴとＡＮ  ６間の通信は接続チャンネル及び制御チャンネルを通じて行われる状態を指す。オープン連結は、ＡＴ  ２に順方向トラフィックチャンネルが割り当てられることができ、逆方向トラフィックチャンネル及び逆方向電力制御チャンネルが割り当てられ、ＡＴ  ２とＡＮ  ６間の通信は、前記割り当てられたチャンネルだけでなく、制御チャンネルを通じて行われる状態を指す。
【００８１】
連結階層は、ネットワークの初期獲得、オープン連結及びクローズド連結のセッティング及び通信を管理する。また、連結階層は、オープン連結及びクローズド連結で概略的なＡＴ  ２位置を維持し、オープン連結がある場合、ＡＴ  ２とＡＮ  ６間の無線リンクを管理する。また、連結階層は、オープン連結及びクローズド連結を管理し、セッション階層で受信した転送されるべきデータを優先化（ｐｒｉｏｒｉｔｉｚｅ）及びカプセル化（ｅｎｃａｐｓｕｌａｔｅ）し、優先化されたデータを保安階層に伝達し、保安階層から受信したデータに対してはデカプセル化（ｄｅｃａｐｓｕｌａｔｅ）を行い、セッション階層に伝達する。
【００８２】
図１７は、連結階層プロトコルを示す。図１７に示すように、プロトコルは、初期化状態、遊休状態及び連結状態を含む。
【００８３】
初期化状態で、ＡＴ  ２はＡＮ  ６を獲得し、初期化状態プロトコルを活性化させる。遊休状態で、クローズド連結が開始され、遊休状態プロトコルが活性化される。連結状態で、オープン連結が初期化され、連結状態プロトコルが活性化される。
【００８４】
初期化状態プロトコルは、ＡＮ  ６獲得と関連した動作を行う。遊休状態プロトコルは、ＡＮ  ６は獲得したが、ルートアップデートプロトコルを用いてＡＴ位置を追跡するというようなオープン連結は有しないＡＴ  ２と関連した動作を行う。連結状態プロトコルは、ＡＴ及びＡＮ  ６の無線リンクを管理し、クローズド連結への過程を管理するというようなオープン連結を持つＡＴ  ２と関連した動作を行う。ルートアップデートプロトコルはＡＴ  ２の位置を追跡し、ＡＴ及びＡＮ  ６間の無線リンクを維持することと関連した動作を行う。オーバーヘッドメッセージプロトコルは、ＱｕｉｃｋＣｏｎｆｉｇ、ＳｅｃｔｏｒＰａｒａｍｅｔｅｒｓ及びＡｃｃｅｓｓＰａｒａｍｅｔｅｒｓメッセージのような必須パラメータを、制御チャンネルを通じて放送する。パケット合併プロトコル（Ｐａｃｋｅｔ  Ｃｏｎｓｏｌｉｄａｔｏｎ  Ｐｒｏｔｏｃｏｌ）は、割り当てられた優先順位及びターゲットチャンネルの関数として転送用パケットを合併及び優先化し、受信機に関するパケット逆多重化を提供する。
【００８５】
１ｘＥＶ−ＤＯ順方向リンクは、支援される電力制御及びソフトハンドオフがないことで特徴付けられる。ＡＮ  ６は、一定の電力でデータを転送し、ＡＴ  ２は順方向リンクに可変レートを要請する。ＴＤＭで使用者は相異なる時間に転送するので、特定使用者のための相異なるＢＳ  ６からのダイバーシティ転送を具現し難い。
【００８６】
物理階層は１．２２８８Ｍｃｐｓ拡散率（ｓｐｒｅａｄｉｎｇ  ｒａｔｅ）によって特徴付けられ、、１フレームは１６スロット及び２６．６３ｍｓで構成され、１スロットは１．６７ｍｓ及び２０４８チップで特定される。順方向リンクチャンネルは、パイロットチャンネル、順方向トラフィックチャンネルまたは制御チャンネル及びＭＡＣチャンネルを含む。
【００８７】
前記パイロットチャンネルは、全ての情報ビットが“０”であり、ウォルシュ−拡散コードが１スロットに１９２チップを持つＷ０であるという点で、ＣＤＭＡ２０００パイロットチャンネルに似ている。
【００８８】
順方向トラフィックチャンネルは３８．４ｋｂｐｓ〜２．４５７６Ｍｂｐｓ、または、４．８ｋｂｐｓ〜３．０７２Ｍｂｐｓの範囲で変わるデータ率（ｄａｔａ  ｒａｔｅ）で特徴付けられる。物理階層パケットは、１ないし１６スロット内に転送されることができ、前記転送スロットは、一つ以上のスロットが割り当てられた場合に４−スロット（４−ｓｌｏｔ）インターレーシング（ｉｎｔｅｒｌａｃｉｎｇ）を使用する。割り当てられた全てのスロットが転送される前に、逆方向リンクＡＣＫチャンネルを通じてＡＣＫが受信されると、残ったスロットは転送されない。
【００８９】
制御チャンネルは、ＣＤＭＡ２０００の同期チャンネル及びページングチャンネルに似ている。制御チャンネルは、２５６スロットまたは４２６．６７ｍｓ周期、１０２４ビットまたは１２８，２５６，５１２及び１０２４ビットの物理階層パケット長、及び３８．４ｋｂｐｓまたは７６．８ｋｂｐｓまたは１９．２ｋｂｐｓまたは７６．８ｋｂｐｓのデータ率を特徴とする。
【００９０】
ＭＡＣチャンネルは、ＲＡ（ｒｅｖｅｒｓｅ  Ａｃｔｉｖｉｔｙ）チャンネル、逆方向電力制御チャンネル、ＤＲＣＬｏｃｋチャンネル、ＡＲＱチャンネル及びパイロットチャンネルを含む。
【００９１】
ＲＡ（ｒｅｖｅｒｓｅ  Ａｃｔｉｖｉｔｙ）チャンネルは、ＡＮ  ２がそのカバレッジ内にある全てのＡＴにＤＰＲＰ逆方向リンク上の現在活動（ａｃｔｉｖｉｔｙ）について知らせ、ＭＡＣインデックスが４のＭＡＣチャンネルである。ＲＡチャンネルは、ビット率が（６００／ＲＡＢＬｅｎｇｔｈ）ｂｐｓまたは６００ｂｐｓであるＲＡＢＬｅｎｇｔｈ連続スロット（サブタイプ０、１）を通じてＲＡＢ（ｒｅｖｅｒｓｅ  Ａｃｔｉｖｉｔｙ  Ｂｉｔｓ）を伝達する。
【００９２】
ＡＮ  ６は、ＡＴ  ２の逆方向リンク転送に使用する電力を制御するために逆方向電力制御（ＲＰＣ）チャンネルを使用する。逆方向電力制御ビットがＲＰＣチャンネルを通じて６００（１−１／ＤＲＣＬｏｃｋＰｅｒｉｏｄ）ｂｐｓまたは１５０ｂｐｓのデータ率で転送される。
【００９３】
ＤＲＣＬｏｃｋチャンネルは、セクターが特定ＡＴを聞けない場合に、ＤＲＣがＡＴ  ２に順方向転送をスケジューリングできず、ＡＴがＤＲＣを通じて持続してサービスを要請する状況を防止する。ＡＴ  ２に対してＤＲＣＬｏｃｋビットがセッティングされると、前記ＡＴはセクターへのＤＲＣ転送を中止する。ＤＲＣＬｏｃｋチャンネルデータ率は、６００／（ＤＲＣＬｏｃｋＬｅｎｇｔｈ×ＤＲＣＬｏｃｋＰｅｒｉｏｄ）ｂｐｓまたは（１５０／ＤＲＣＬｏｃｋＬｅｎｇｔｈ）ｂｐｓである。
【００９４】
ＡＲＱチャンネルは、逆方向リンクハイブリッド−ＡＲＱ（Ｈ−ＡＲＱ）を支援し、これによってＡＮ  ６が物理階層パケットを受信した場合に残りの副−パケットが転送されないようにする。Ｈ−ＡＲＱは、ＡＮ  ６がスロットｍ−８、ｍ−７、ｍ−６及びｍ−５に転送されたパケットを成功的に受信したか否かを示す。
【００９５】
ＤＲＣチャンネルは、ＡＴ  ２が、選択されたサービングセクター及び順方向トラフィックチャンネルに対する要請データ率をＡＮ  ６に指示するのに用いられる。前記要請データ率は、選択されたサービングセクターに相応するＤＲＣチャンネル転送拡散のための８−アレイウォルシュ関数と一緒に４けた（４−ｄｉｇｉｔ）トＤＲＣ値にマッピングされる。順方向トラフィックチャンネルＭＡＣプロトコルからのＤＲＣＣｏｖｅｒは、カバーマッピングを定義する。ＤＲＣ値は、６００／ＤＲＣＬｅｎｇｔｈ  ＤＲＣ値／秒当たりのデータ率で転送され、最大データ率は６００／秒で、最小データ率は７５／秒である。
【００９６】
ＢＳ  ６のスケジューリングは、セクターで具現され、ＤＲＣに基づいてＡＴ  ２に帯域を割り当てることによってＢＳがどんな使用者データを次に転送するかを決定するのを促進する。可能なスケジューラはラウンドロビン（Ｒｏｕｎｄ  Ｒｏｂｉｎ）、最上速度（Ｂｅｓｔ  Ｒａｔｅ）及び比例工程（Ｐｒｏｐｏｒｔｉｏｎａｌ  Ｆａｉｒｎｅｓｓ）を含む。スケジューラ入力は、ＤＲＣ、ＡＣＫ／ＮＡＫ、ＱｏＳ及び加入者プロフィール、ヒストリー、トラフィックモデル及びＡＴ容量（ｃａｐａｂｉｌｉｔｙ）を含む。
【００９７】
ラウンドロビンは、基本公正性（ｂａｓｉｃ  ｆａｉｒｎｅｓｓ）を強調する。最上速度は、スループットを強調する。比例工程は、公正性とスループットをバランスさせる。
【００９８】
選択された使用者に対するデータ転送は、ＢＳ  ６が前記報告されたＤＲＣを用いてＦＬデータ率、変調方式及びコーディング率を決定するのを促進する。ファットパイプスケジューリング（Ｆａｔ  Ｐｉｐｅ  Ｓｃｈｅｄｕｌｉｎｇ）で、セクター内の全てのＡＴ  ２は１．２５ＭＨｚ無線搬送波を共有し、パイプは１．６６７ｍｓスロットに分割され、パケットが一つ以上のスロットを要求する場合、パケット断片が４スロット間隔に転送される。
【００９９】
４−スロットインターレーシングで、物理階層パケットの転送スロットは３つのスロットにより分離され、他の物理階層パケットがこれらの転送スロット間のスロットに転送される。全ての割り当てられたスロットが転送される前にＡＣＫチャンネルを通じてＡＣＫを受信した場合、転送されずに残っているスロットは転送されない（ハイブリッドＡＲＱ）。
【０１００】
ＡＣＫ／ＮＡＫは、ＡＴ  ２が一部のデータを受信し、チェックサムを確認するのを促進する。図１８は、順方向リンクでのＡＣＫ／ＮＡＫ動作を示す。
【０１０１】
ＡＴ  ２は、ＡＣＫチャンネルを用いてＡＮ  ６に順方向トラフィックチャンネルに転送された物理階層パケットが成功的に受信されたかを知らせる。特に、０にセッティングされたＡＣＫビットはＣＲ  ＣＯＫを表し、１にセッティングされたＡＣＫビットはＣＲＣ  Ｆａｉｌを表す。図４０は、逆方向リンクでのＡＣＫチャンネル使用を示す。
【０１０２】
より広い帯域幅を持つ新しいセルラー通信システムが現在開発されつつある。例えば、現在３ＧＰＰ、３ＧＰＰ２及びＩＥＥＥ８０２．２０無線インターフェースは、２０ＭＨｚまでのスペクトラム割当を目標としている。未来のシステムは１００ＭＨｚまで収容可能になるはずである。これは、根本的に、より大きいエンドユーザー情報転送率及びＱｏＳ（Ｑｕａｌｉｔｙ  ｏｆ  ｓｅｒｖｉｃｅ）に対する一般的な欲求から動機付けられた。
【０１０３】
上記のようなシステムを設計する上での多くの課題のうちの一つは、データ率、レイテンシ、パケットエラー率及びジターのような様々なＱｏＳ要件を備えた多様なトラフィックアプリケーションを支援することである。例えば、低いレイテンシ及び低いレート（ｒａｔｅ）を要求するＶｏＩＰ使用者のＱｏＳ要件は、より寛大なレイテンシ及びより大きいレートを要求するウェブブラウジング使用者のＱｏＳ要件とバランスしなければならない。
【０１０４】
また、Ａｌｌ−ＩＰネットワークに対する一般的な傾向を考慮すると、広範囲なトラフィックタイプを支援する必要がある。例えば、ＶｏＩＰ使用者は、低いレイテンシを引き起こす多重接続を要求するのに対し、ウェブブラウジング使用者は機会的スケジューリングを許容する多重接続方法を要求することができる（例、転送が“良い”フェード（ｆａｄｅ）間にスケジューリングされ、“悪い”フェーズ間にスケジューリングされない）。
【０１０５】
もう一つの課題は、各使用者が経験するチャンネル条件に適合する無線インターフェースを設計することである。例えば、高い受信ＳＮＲを持つ使用者にはＯＦＤＭ／ＯＦＤＭＡが適合しているのに対し、帯域幅拡張因子のような処理利得が必要な低い受信ＳＮＲを持つ使用者にはＭＣ−ＣＤＭＡが適合している。
【０１０６】
したがって、転送システムは、多様なトラフィックＱｏＳ要件及び多様なチャンネル条件を支援しなければならない。また、従来のサービングセル交換は、ＨＰＲＤの６４−スロットＤＳＣ構成におけると同様に、３Ｇ無線システムで遅い方であり、あるセルから他のセルへのデータ伝達は、セル交換遅延の主要原因となる。
【発明の開示】
【０１０７】
本発明の特徴と利点は明細書に記載され、部分的には明細書の記載から明白になり、さらには本発明の実施から明らかになることができる。本発明の目的及び他の利点は、詳細な説明、特許請求の範囲及び添付の図面によって具体的に指示された構造から具現されたり確認されることができる。
【０１０８】
本発明は、ＯＦＤＭ、ＯＦＤＭＡ、単一搬送波ＦＤＭＡ及び／またはＭＣ−ＣＤＭＡまたは転送基本方式として離散トーンまたは正弦波を用いる任意のシステムの組合せに基づく、多重使用者を支援するセルラー通信システムの多重接続設計に関する。
【０１０９】
本発明の一様相で、ＡＲＱを使用する移動通信システムにおいてそれぞれ複数のサブパケットを含む第１データパケット及び第２データパケットを、それぞれ第１端末及び第２端末に提供する方法が提供される。前記方法は、前記第１データパケットを前記第１端末に転送する段階と、前記第２データパケットを前記第２端末に転送する段階と、を含み、前記第１データパケットの複数のサブパケットを全て送信する前にＡＣＫが受信された場合、前記第２データパケットの複数のサブパケットのうち少なくとも一つは転送される状態で残っているように、前記第２データパケットの１番目のサブパケットが前記第１データパケットの１番目のサブパケットよりも遅延される。
【０１１０】
前記第１データパケットの複数のサブパケット及び前記第２データパケットの複数のサブパケットは、スロット転送方式によって少なくとも一つの未使用転送スロットが第１及び第２データパケットのそれぞれの複数のサブパケットにおいて各サブパケットの間に存在するように転送されることができる。また、前記第１データパケットの複数のサブパケットはそれぞれ、前記第２データパケットの複数のサブパケットのうち、対応するサブパケットと略同時に転送されることができる。好ましくは、前記移動通信システムはＭＣ−ＣＤＭＡを含む。
【０１１１】
本発明の他の様相で、信号転送のために離散トーンを使用する多重接続移動通信システムでにおいて複数の使用者に複数の多重接続技法を提供する方法が提供される。前記方法は、前記複数の多重接続技法を定義（ｄｅｆｉｎｉｎｇ）する段階と、前記複数の使用者に対する通信要件を決定する段階と、前記複数の使用者のそれぞれに前記複数の定義された多重接続技法のうちの一つを割り当てる段階と、前記複数の使用者の数、前記複数の使用者のそれぞれの電力要件、前記複数の使用者のそれぞれに対する音声通話率要件及び前記移動通信システムのアンテナ数のうち少なくとも一つによって前記離散トーンを時間領域で前記複数の使用者にパーティショニング（ｐａｒｔｉｔｉｏｎｉｎｇ）する段階と、を含む。
【０１１２】
前記パーティショニングは、複数の基地局及びセルセクターのうち少なくとも一つで同期することができる。また、前記パーティショニングに関する指示情報を、周期的にまたは前記パーティショニングが変更された場合に、放送メッセージを介して前記複数の使用者に提供することをさらに含むことができる。
【０１１３】
前記複数の技法は、ＭＣ−ＣＤＭＡを含み、ＭＣ−ＣＤＭＡに割り当てられた前記複数の使用者の数によって拡散コード長を異ならせることをさらに含むことができる。また、ＡＲＱが支援され、前記複数の使用者のうち少なくとも一つの使用者に対する第１データパケットの１番目のサブパケット転送を、前記複数の使用者のうち少なくとも一つの第２使用者に対するデータパケットの第２サブパケットの１番目のサブパケットに対して相対的に遅延させることによって、前記離散トーンを時間領域でパーティショニングすることをさらに含むことができる。
【０１１４】
本発明の他の様相で、移動通信システムにおいて端末に制御情報を提供する方法が提供される。前記方法は、複数の連続（ｃｏｎｓｅｃｕｔｉｖｅ）フィールドを含む制御メッセージを前記端末に転送する段階を含み、前記複数の連続フィールドがそれぞれの連続フィールドを含むか否かは少なくとも一つの値及び複数の連続フィールドに少なくとも一つの先行する連続フィールドが含まれたか否かに依存することによって、前記複数の連続フィールドから第１連続フィールドを抽出することによって前記複数の連続フィールドから少なくとも一つの第２連続フィールドを抽出するようにし、前記メッセージの長さを減少させることができる。
【０１１５】
前記メッセージはＴＣＡメッセージでありうる。また、前記複数の連続フィールドは、ＮｕｍＵｎｉｑｕｅＴｒａｆｆｉｃＭＡＣＩｎｄｅｘｅｓ、ＳｃｈｅｄｕｌｅｒＴａｇ、ＡｕｘＤＲＣＣｏｖｅｒＩｎｃｌｕｄｅｄ及びＡｕｘＤＲＣＣｏｖｅｒのうち少なくとも２つを含むことができる。好ましくは、前記ＴＣＡメッセージは、ＳｅｃｔｏｒＩｎＴｈｉｓＦｒｅｑｕｅｎｃｙＩｎｃｌｕｄｅｄ、ＰｉｌｏｔＣａｒｒｉｅｓＰｉｌｏｔＣｈａｎｎｅｌ、ＧｒｏｕｐＩＤ、ＮｕｍＵｎｉｑｕｅＴｒａｆｆｉｃＭＡＣＩｎｄｅｘｅｓ、ＳｃｈｅｄｕｌｅｒＴａｇ、ＡｕｘＤＲＣＣｏｖｅｒＩｎｃｌｕｄｅｄ及びＡｕｘＤＲＣＣｏｖｅｒを含む。
【０１１６】
本発明の他の様相で、移動端末が提供される。前記移動端末は、複数の連続フィールドを含む制御メッセージを受信する送／受信ユニットと、使用者インターフェース情報をディスプレイするディスプレイユニットと、使用者データを入力する入力ユニットと、前記複数の連続フィールドから第１連続フィールドが抽出されたと判断された場合、前記複数の連続フィールドで少なくとも一つの第２連続フィールドが処理されないように前記制御メッセージを処理するプロセシングユニットと、を含む
前記メッセージは、ＴＣＡメッセージでありうる。前記複数の連続フィールドは、ＮｕｍＵｎｉｑｕｅＴｒａｆｆｉｃＭＡＣＩｎｄｅｘｅｓ、ＳｃｈｅｄｕｌｅｒＴａｇ、ＡｕｘＤＲＣＣｏｖｅｒＩｎｃｌｕｄｅｄ及びＡｕｘＤＲＣＣｏｖｅｒのうち少なくとも２つを含むことができる。好ましく、ＴＣＡメッセージは、ＳｅｃｔｏｒＩｎＴｈｉｓＦｒｅｑｕｅｎｃｙＩｎｃｌｕｄｅｄ、ＰｉｌｏｔＣａｒｒｉｅｓＰｉｌｏｔＣｈａｎｎｅｌ、ＧｒｏｕｐＩＤ、ＮｕｍＵｎｉｑｕｅＴｒａｆｆｉｃＭＡＣＩｎｄｅｘｅｓ、ＳｃｈｅｄｕｌｅｒＴａｇ、ＡｕｘＤＲＣＣｏｖｅｒＩｎｃｌｕｄｅｄ及びＡｕｘＤＲＣＣｏｖｅｒを含む。
【０１１７】
本発明の追加的な特徴と利点は明細書に記載され、部分的には明細書の記載から明白になり、さらには本発明の実施から理解されることができる。本発明に関する一般的な説明及び詳細な説明は例示的なもので、請求された発明をさらに説明するためのものである。
【０１１８】
また、明細書に記載された実施例の他にも、添付の図面を参照して詳細に説明された実施例に基づく様々な改変例が可能であるということは、当業者にとっては明らかであり、したがって、本発明は、開示された特定実施例に限定されることはない。
【発明を実施するための最良の形態】
【０１１９】
以下、本発明の好適な実施例を、添付の図面を参照しつつ詳細に説明する。本発明は、多様なトラフィックＱｏＳ要求及び多様なチャンネル条件を支援できる柔軟な離散トーン基盤無線インターフェースを生成することによって、多様なトラフィックＱｏＳ要件及び多様なチャンネル条件を支援する転送方法に関するものである。
【０１２０】
本発明の一実施例で、時間−周波数資源は、複数のグループにパーティショニングされる。各グループは、時間−周波数領域で連結されたり連結されなかった離散トーンセットを含む。グループは、離散トーンに基盤する多重接続方法のうちの一つを用いることができる。
【０１２１】
パーティショニングは、様々な方法で行うことができる。周波数−ワイズ（ｆｒｅｑｕｅｎｃｙ−ｗｉｓｅ）パーティショニングは、隣接グループ、インターレーシングした非隣接グループ、隣接及び非隣接グループの組合せを用いて行うことができる。時間−ワイズ（ｔｉｍｅ−ｗｉｓｅ）パーティショニングは、隣接グループ、インターレーシングした非隣接グループ、隣接及び非隣接グループの組合せを用いて行うことができる。一般化された時間−周波数パーティショニングは、周波数−ワイズパーティショニング及び時間−ワイズパーティショニングの任意の組合せを用いて行うことができる。
【０１２２】
説明を簡略にするために、本発明による実施例は、ＯＦＤＭ及びＭＣ−ＣＤＭＡに関して説明する。ただし、ＯＦＤＭをＯＦＤＭＡに、ＭＣ−ＣＤＭＡを単一搬送波ＦＤＭＡに取って代わることができる。
【０１２３】
例えば、システムは、二つのグループ、すなわち、ＯＦＤＭを使用するグループとＭＣ−ＣＤＭＡを使用するグループを持つことができる。ＶｏＩＰ（Ｖｏｉｃｅ  Ｏｖｅｒ  Ｉｎｔｅｒｎｅｔ  Ｐｒｏｔｏｃｏｌ）使用者は、ＭＣ−ＣＤＭＡグループに割り当てられることができる反面、ウェブブラウジング使用者は、ＯＦＤＭグループに割り当てられることができる。
【０１２４】
また、使用者がシステムに出入するので、前記パーティショニングは、時間によって変わることができる。例えば、使用者がＶｏＩＰを優勢に使用するとしたら、より多くの帯域幅（時間及び／または周波数）がＶｏＩＰに割り当てられることができる。一方、使用者がＯＦＤＭを優勢に使用するとしたら、より多くの帯域幅（時間及び／または周波数）がＯＦＤＭに割り当てられることができる。
【０１２５】
セルラー環境で、前記パーティショニングはまた、基地局及びセクター間で同期されたり独立して行われることができる。同期され、ユニバーサル周波数再使用を使用するとしたら、同一周波数ソフトハンドオフ（ＳＨＯ）を用いて、多重セクター及び／または基地局が同一にまたは異なってコーディングされた同一情報を転送することができる。相異なる周波数ＳＨＯは、同一情報が異なる送信機から異なる周波数を通じて転送されるノン−ユニバーサル周波数再使用システムに用いられることができる。
【０１２６】
トラフィック要求によってセクターの間で可変パーティショニングが行われることができる。前記パーティショニングは、周期的にまたはパーティショニングが変更された場合に、放送メッセージを通じて指示されることができる。前記放送メッセージは、インバンド（ｉｎ−ｂａｎｄ）またはＭＡＣメッセージのための上位階層メッセージでありうる。
【０１２７】
ＭＣ−ＣＤＭＡコードの長さは、資源の量及びＭＣ−ＣＤＭＡ使用者数が可変的であるため変動されることができる。例えば、ＭＣ−ＣＤＭＡは、資源の量が多い場合にウォルシュハダマドコードのような長さ６４コードを用いることができる。一方、資源の量が少ない場合には、長さ８シーケンスが用いられることができる。好ましくは、複数の離散トーンで１、２、４、８、１６及び３２のようにいろいろな長さを持つウォルシュハダマドコードが用いられる。
【０１２８】
典型的に、ＭＣ−ＣＤＭＡは、１時間スロットで１６個のトーンを使用する１６長ウォルシュコードと同様に、同一時間スロットに制限される。ＭＣ−ＣＤＭＡコードはまた、４個のトーンを１時間スロットに使用し、他の４個のトーンを他の時間スロットに使用する１６長ウォルシュコードと同様にに、時間領域に分散されることができる。
【０１２９】
多重ＭＣ−ＣＤＭＡグループが用いられることができる。しかし、音声活動に対して多重化利得を最大にするために、単一ＭＣ−ＣＤＭＡグループが好ましく用いられる。
【０１３０】
多重アンテナが存在する場合、多重転送アンテナが用いられることができる。パーティショニングが追加的に時間、周波数及びアンテナ（空間）領域にパーティショニングされることができるという点から、３次元パーティショニングが生成されることができる。パーティショニングは、アンテナに対して一定（ｃｏｎｓｉｓｔｅｎｔ）したり異なることができる。
【０１３１】
複数の多重化技法または多重接続技法が用いられることができる。例えば、ＯＦＤＭ使用者は、ＣＱＩ（ｃｈａｎｎｅｌ  ｑｕａｌｉｔｙ  ｉｎｆｏｒｍａｔｉｏｎ）フィードバックを用いてレート制御（ｒａｔｅ−ｃｏｎｔｒｏｌ）、またはリンク順応（ｌｉｎｋ  ａｄａｐｔａｔｉｏｎ）をすることができる。一方、ＭＣ−ＣＤＭＡ使用者は、使用者別電力レベルが、ＣＱＩまたは電力制御ビット命令のように、相対的に細密でないフィードバックを使用するＩＳ−２０００１ｘＲＴＴのような方式によって個別的に調節されるように電力制御を行うことができる。
【０１３２】
電力制御は、各送信機またはセクターに一つの命令が存在するようにフィードバックリンク上の単一制御命令ビットまたは多重命令を用いて行われることができる。基地局の近くにいるＭＣ−ＣＤＭＡ使用者は電力を少なく要求するのに対し、遠くにいる使用者はより多くの電力を要求する。
【０１３３】
ＭＣ−ＣＤＭＡは、音声フレームが１／８（または、ナル）、１／４、１／２またはフルレート音声フレームであるので、多様な音声活動を受容するように設計されることができる。例えば、長さ６４コードを持つ現在のＩＳ−２０００が用いられることができる。また、現存のＩＳ−２０００は、トラフィック要求変更によってより短かいか長いコード長を持つように変更されることができる。
【０１３４】
相異なるセクターが同一ＭＣ−ＣＤＭＡグループまたは異なるグループに同一情報を転送することができる。ＯＦＤＭと同様に、セクター交換によってマルチサイトダイバーシティが可能である。
【０１３５】
ＭＣ−ＣＤＭＡ及びＯＦＤＭはいずれもＡＲＱを支援することができる。例えば、ＣＤＭＡ２０００  Ｒｅｖ．Ｃ内の全てのＭＣ−ＣＤＭＡ使用者は、１．６６６ｍｓｅｃスロットが与えられた場合、二回、または４スロットごとに転送するようにしたインターレース内で設定された回数だけ再転送するようにセッティングされることができる。
【０１３６】
再転送インスタント（ｉｎｓｔａｎｔｓ）は、多重セクター送信機が使われた場合、ソフト結合（ｓｏｆｔ−ｃｏｍｂｉｎｉｎｇ）を許容するようにプリセットされる。例えば、２０ｍｓｅｃをカバーする１つのインターレース内の連続した３スロットは、最大２つのサブパケット再転送を許容する。
【０１３７】
端末は、パケットを正常にデコーディングすると、ＡＣＫを転送する。ＡＣＫをデコーディングしたセクターは、以降転送を中断することができる。ＡＣＫデコーディングに失敗したセクターは再転送されることができる。
【０１３８】
ＭＣ−ＣＤＭＡ使用者は、使用者同士間で１番目のサブパケットの転送時間が、時間領域で分散されるようにスタガー（ｓｔａｇｇｅｒ）されることができる。こういう方式で、資源が均等に割り当てられることができる。例えば、ＶｏＩＰ使用者はＡＣＫが速く受信されると速く終了されることができるので、より多くの資源が以降のＭＣ−ＣＤＭＡによるサブパケット再転送に用いられることができる。また、全ての初期ＭＣ−ＣＤＭＡサブパケットを整列することも可能である。
【０１３９】
本明細書では開示内容が主にセルラー通信システムの順方向リンクに適用されたが、本開示内容は逆方向リンクに適用されても良く、また、放送及びマルチキャストのような単一リンクシステムに適用されても良い。また、本開示内容は、ＴＤＤシステムに適用されても良い。
【０１４０】
図１９〜図２３は、１６個のトーン及び８個の時間スロット、または８シンボル／列を持つシステムでのパーティショニング例を示す。ｘ軸は時間を表し、ｙ軸は周波数を表す。各セルは、離散トーンシンボルを表す。
【０１４１】
図１９は、全てＭＣ−ＣＤＭＡトラフィックである例を示す。図２０は、全てＯＦＤＭトラフィックである例を示す。図２１は、周波数領域にのみ均等にパーティショニングされたＶｏＩＰ及びウェブブラウジングトラフィックを示す。図２２は、周波数領域にのみパーティショニングされた少ないＶｏＩＰトラフィック及びより多くのウェブブラウジングトラフィックを示す。図２３は時間及び周波数領域の両方にパーティショニングされた少ない数のＶｏＩＰ使用者を示す。
【０１４２】
図２４は、２人のＶｏＩＰ使用者として‘Ｓ’及び‘Ｒ’を持つＭＣ−ＣＤＭＡにおけるＡＲＱ動作を示す。ｘ軸は時間を表す。ｙ軸は２人の使用者に対する電力割当を表す。シンボル‘Ｓｌｋ’は、使用者‘Ｓ’に対するパケットナンバー‘ｌ’、サブパケット転送ナンバー‘ｋ’を表す。使用者‘Ｒ’についても同様であり、使用者‘Ｒ’の初期サブパケットは４個の時間スロットだけオフセットされており、使用者‘Ｒ’の転送電力は、使用者‘Ｓ’の２倍である。
【０１４３】
本発明の他の実施例で、速いセル交換のためのメカニズムが、時間的に空間ダイバーシティを活用するために、音声トラフィックまたは制御シグナリングのような回路交換タイプトラフィックに提供される。ＢＳＣ  ４は、同じパケットをあらかじめ定められた転送フォーマットでハンドオフに関与したＢＴＳ  ３に伝達する。
【０１４４】
パイロットカバー及び電力制御ビットを伝達する別個のＤＲＣチャンネルがＶｏＩＰ流れのために提供される。ＭＣ−ＣＤＭＡスロットは、ＢＴＳ  ３間に同期され、ＡＴ  ２からＢＴＳ  ３に転送されたＤＲＣ  ｃｏｖｅｒはどのＢＴＳがサービングＢＴＳであるかを決定する。
【０１４５】
ＤＲＣ  ｃｏｖｅｒが指示するＢＴＳ  ３パイロットがパケットをサービスする。ＤＲＣ  ｃｏｖｅｒが指示しないＢＴＳ  ３パイロットは前記パケットをドロップする。したがって、基本的にスマート選択的転送形態であり、無線信号の量がより少ないので、生成される干渉量が減少する。
【０１４６】
ＤＲＣ  ｃｏｖｅｒが変更される境界は、ＨＡＲＱが用いられる場合に緩く（ｓｌｉｇｈｔｌｙ）セッティングされなければならない。ＤＲＣ  ｃｏｖｅｒ変更は、１番目のサブパケット転送以降から次の１番目のサブパケット転送時までの任意の時間に発生することができる。例えば、無線遅延で許容されるもので、ＮｘＥＶ−ＤＯスロットタイミング、Ｈ−ＡＲＱタイミング構造及び２０ｍｓｅｃを用いる場合、ＤＲＣ  ｃｏｖｅｒ変更は３番目のサブパケット転送インスタントの間に発生することができる。
【０１４７】
１番目のサブパケットインスタントは、回路交換ＨＡＲＱ転送の良好な分散のために使用者同士間に様々でありうる。例えば、ネットワークは、音声トラフィックを持つ１番目のサブパケットインスタントをオフセットするメカニズムを含むことができる。
【０１４８】
ネットワークは、制御シグナリングまたは上位階層メッセージと一緒に前記情報を転送することができる。１番目のサブパケットをオフセットすることによって、同一ＡＴに対するパケットのＡＣＫが受信された場合にも、サブパケットが常にあるＡＴ  ２に転送されていることが保障される。
【０１４９】
図２５は、移動局（ＭＳ）または接続端末（ＡＴ）２を示すブロック図である。ＡＴ  ２は、プロセッサ（またはデジタル信号プロセッサ）１１０、ＲＦモジュール１３５、電力管理モジュール１０５、アンテナ１４０、バッテリー１５５、ディスプレイ１１５、キーパッド１２０、メモリ１３０、ＳＩＭカード１２５（選択的に含む）、スピーカー１４５及びマイクロホン１５０を含む。
【０１５０】
使用者は、例えば、キーパッド１２０のボタンを押したりマイクロホン１５０を用いた音声活性化により、電話番号のような指示情報を入力する。マイクロプロセッサ１１０は、指示情報を受信及び処理し、電話番号ダイヤリングのような適切な機能を行う。すなわち、動作データをＳＩＭ（Ｓｕｂｓｃｒｉｂｅｒ  Ｉｄｅｎｔｉｔｙ  Ｍｏｄｕｌｅ）カード１２５またはメモリモジュール１３０から得、前記機能を行うことができる。また、前記プロセッサ１１０は、使用者の参照及び便宜のために指示及び動作情報をディスプレイ１１５に表示することができる。
【０１５１】
前記プロセッサ１１０は、指示情報をＲＦモジュール１３５に伝達し、例えば音声通信データを含む無線信号を転送するなど、通信を開始することができる。ＲＦモジュール１３５は、無線信号の受信及び送信のための受信機及び送信機を含む。アンテナ１４０は、無線信号の転送及び受信を容易にする。無線信号を受信すると、ＲＦモジュール１３５は、プロセッサ１１０のために前記信号を伝達及び基底帯域に変換することができる。前記処理された信号は、例えばスピーカー１４５を通じて可聴または可読の情報に転換される。プロセッサ１１０はまた、ＣＤＭＡ２０００または１ｘＥＶ−ＤＯシステムと関連して本明細書で説明した多様な過程を行うのに必要なプロトコル及び機能を含む。
【０１５２】
本発明の技術的思想及び必須特徴の範囲内で様々な形態の具現例が可能であり、したがって、別に指示しない限り、本発明の範囲は、実施例に記載された内容に限定して解析されてはいけず、特許請求の範囲に記載された技術的思想の範囲内で広く解析すべきである。したがって、本発明の技術的思想の範囲内にある変更、修正、均等物はいずれも特許請求の範囲に含まれる。
【産業上の利用可能性】
【０１５３】
上記の実施例及び利点は例示的なもので、本発明を制限するためのものではない。本明細書に教示された技術的思想は、他のタイプの装置にも容易に適用されることができる。本発明についての詳細な説明は、単に本発明を説明するためのもので、特許請求の範囲を制限することはない。したがって、様々な代替、修正、及び変形ができるということは、当該技術分野に熟練した技術者にとっては自明である。特許請求の範囲で、手段−プラス−機能の各節は、本明細書に前記機能を行うものとして記載された構造の他に、その構造的均等物または均等な構造物にも範囲が及ぶ。
【図面の簡単な説明】
【０１５４】
【図１】無線通信ネットワーク構造を示す図である。
【図２Ａ】ＣＤＭＡ拡散及び逆拡散過程を示す図である。
【図２Ｂ】多重拡散シーケンスを使用した拡散及び逆拡散過程を示す図である。
【図３】ＣＤＭＡ逆方向電力制御方法を示す図である。
【図４】ＣＤＭＡレイク受信機を示す図である。
【図５】ＣＤＭＡ２０００無線ネットワークのデータリンクプロトコル構造階層を示す図である。
【図６】ＣＤＭＡ２０００呼処理過程を示す図である。
【図７】ＣＤＭＡ２０００初期化状態を示す図である。
【図８】ＣＤＭＡ２０００システム接続状態を示す図である。
【図９】ＣＤＭＡ２０００移動トラフィックチャンネル状態を示す図である。
【図１０】ＣＤＭＡ２０００多重化及びＱｏＳ副階層転送機能を示す図である。
【図１１】ＣＤＭＡ２０００の１ｘ及び１ｘＥＶ−ＤＯを比較した図である。
【図１２】１ｘＥＶ−ＤＯ無線ネットワークのネットワーク構造階層を示す図である。
【図１３】１ｘＥＶ−ＤＯ物理階層チャンネルを示す図である。
【図１４】１ｘＥＶ−ＤＯデフォルトプロトコル構造を示す図である。
【図１５】１ｘＥＶ−ＤＯノン（ｎｏｎ）−デフォルトプロトコル構造を示す図である。
【図１６】１ｘＥＶ−ＤＯセッション確立を示す図である。
【図１７】１ｘＥＶ−ＤＯ連結階層プロトコルを示す図である。
【図１８】１ｘＥＶ−ＤＯＡＣＫ／ＮＡＫ動作を示す図である。
【図１９】ＭＣ−ＣＤＭＡトラフィックのみによる構成（ｃｏｎｆｉｇｕｒａｔｉｏｎ）を示す図である。
【図２０】ＯＦＤＭトラフィックのみによる構成を示す図である。
【図２１】均一に混合されたＶｏＩＰ及びウェブブラウジングトラフィックの構成を示す図である。
【図２２】少ない数のＶｏＩＰトラフィック及びより多くのウェブブラウジングトラフィックが周波数領域でのみパーティショニングされた構成を示す図である。
【図２３】少ない数のＶｏＩＰトラフィック使用者が時間と周波数領域の両方でパーティショニングされた構成を示す図である。
【図２４】ＭＣ−ＣＤＭＡのＡＲＱ動作を示す図である。
【図２５】移動局または接続端末を示すブロック図である。
【図１】
2009543379.tif 000003
【図２Ａ】
2009543379.tif 000004
【図２Ｂ】
2009543379.tif 000005
【図３】
2009543379.tif 000006
【図４】
2009543379.tif 000007
【図５】
2009543379.tif 000008
【図６】
2009543379.tif 000009
【図７】
2009543379.tif 000010
【図８】
2009543379.tif 000011
【図９】
2009543379.tif 000012
【図１０】
2009543379.tif 000013
【図１１】
2009543379.tif 000014
【図１２】
2009543379.tif 000015
【図１３】
2009543379.tif 000016
【図１４】
2009543379.tif 000017
【図１５】
2009543379.tif 000018
【図１６】
2009543379.tif 000019
【図１７】
2009543379.tif 000020
【図１８】
2009543379.tif 000021
【図１９】
2009543379.tif 000022
【図２０】
2009543379.tif 000023
【図２１】
2009543379.tif 000024
【図２２】
2009543379.tif 000025
【図２３】
2009543379.tif 000026
【図２４】
2009543379.tif 000027
【図２５】
2009543379.tif 000028